【事件の表示】
　特許第３０５２２６５号「写真焼付方法及び装置」の請求項１ないし５に記載された発明の特許に対する特許異議の申立てについて、次のとおり決定する。
【結　論】
　訂正を認める。
　特許第３０５２２６５号の請求項１ないし５に記載された発明に関する特許を維持する。
【理　由】
（１）手続きの経緯
　本件特許第３０５２２６５号発明は、昭和６２年９月２４日に出願された特願昭６２−２３９５７８号の一部を平成９年２月１０日に新たに出願したものであり、平成１２年４月７日にその発明の特許がなされ、その後、コニカ　株式会社より特許異議の申立てがなされ、取消理由通知がなされ、その指定期間内である平成１３年４月１７日に訂正請求がなされたものである。
（２）訂正の適否についての判断
（ｉ）特許請求の範囲の訂正
ア.訂正明細書の請求項１に記載された発明
　訂正明細書の請求項１に記載された発明は、その特許請求の範囲の請求項１に特定された次のとおりのものである。
　「【請求項1】同一の写真フイルムに記録されている複数の画像を各画像毎に感光材料に光学的に焼き付け、前記写真フイルムから複数の画像を読み取り、前記読み取った複数の画像を、前記光学的に焼き付ける各画像のインデックス画像として合成し、合成した前記インデックス画像を前記複数の画像の焼付対象感光材料に焼き付けることを特徴とする写真焼付方法。」
イ.訂正明細書の請求項２に記載された発明
　訂正明細書の請求項２に記載された発明は、その特許請求の範囲の請求項２に特定された次のとおりのものである。
　「【請求項２】前記合成したインデックス画像を、複数の画像の前又は後に焼き付けることを特徴とする請求項１記載の写真焼付方法。」
ウ.訂正明細書の請求項３に記載された発明
　訂正明細書の請求項３に記載された発明は、その特許請求の範囲の請求項３に特定された次のとおりのものである。
　「【請求項３】前記合成したインデックス画像をメモリに記憶することを特徴とする請求項１又は２記載の写真焼付方法。」
（ｉｉ）発明の詳細な説明の訂正
ア.明細書の段落【０００５】及び【００２９】の「インデックス画像またはマルチ画像」を「インデックス画像」と訂正する。
イ.明細書の段落【００２９】の「インデックス写真やマルチ写真等の嵌め込み合成写真」を「インデックス写真」と訂正する。
ウ.明細書の段落【００２９】の「嵌め込み合成」を「インデックス」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特
許法等の一部を改正する法律（平成６年法律第１１６号）附則第６条第１項の規定によりなお従前
の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人コニカ　株式会社は、証拠として甲第１号証（特開昭６１−１２３８２６号公報）、甲第２号証（特開昭６０−３５７２３号公報）、甲第３号証（特開昭６２−１８８５８０号公報）を提出し、訂正前の請求項１〜５に記載された発明は、特許法第２９条第２項の規定に違反してなされたものであるから、特許を取り消すべき旨主張している。
イ.判断
［引用刊行物に記載された発明］
訂正前明細書の請求項１〜５に対して、当審が通知した取消理由で引用した刊行物１（特開昭６１−１２３８２６号公報）には、「(１)不動の単一サイズの印画紙に対して仕様に応じてネガフィルムの位置の移動により複数画面を焼き付けることを可能ならしめるマルチプリントシステム。」（特許請求の範囲第１項）、「作用
　かくすることにより、単一サイズの１枚の印画紙を動かさないで複数サイズの画面を焼付けることができ、１種類の印画紙に１台のプリンタで種々のサイズのプリントを仕上げることができるようにしたものである。」（第１頁右欄第１８行〜第２頁左上欄第４行）、及び「発明の効果
　このように本発明では１回の露光ごとにネガキャリア５を前或は後に移動させることにより一種類のペーパーサイズの印画紙を動かさないで巾の異る複数のプリントができるもので、サイズ変更にともなうペーパ一交換の必要をなくしたものである。」（第２頁左下欄第１４行〜右下欄第１行）との記載がある。
  同じく引用した刊行物２（特開昭６０−３５７２３号公報）には、「再注文プリントの注文者の指定による、プリントすべきネガ(こま)情報、プリント位置及びプリントサイズ等のレイアウトに関するフォーマット情報、写真の説明等に関する印字情報に従い、１枚の印画紙に複数のシーン及び説明文の焼付ないし印字を自動写真焼付装置により行なうことを特徴とする写真プリント方法。」（特許請求の範囲）、「本発明はレイアウトフリープリントを自動写真焼付装置で行なうことができれば安価に提供可能となり、再注文プリントの需要拡大ひいては写真文化の底辺拡大に寄与することが大であることに着眼して成されたものであって、」（第１頁右欄第１２〜１６行）、「Ａレイアウトフリープリントの概念
Ａ１:１枚の印画紙に複数のシーンをプリントするものである。
Ａ２:印画紙のサイズは定形サイズのものが複数用意されているのが望ましい。
Ａ３:プリントするシーンの数はフィルム１本分より多く、ユーザーの所有するフィルムの内から自由に選定し得るのが望ましい。
Ａ４:プリントサイズは各シーン毎に自由に指定できるのが望ましい。」（第２頁左上欄第７〜１６行）、「第２図(Ｂ)〜(Ｆ)はレイアウトカードの一例を示すもので、(Ｂ)は、レイアウトカードの台紙１にネガ(コマ)番号記入欄２、表題記入欄３、説明文記入欄４等を印刷したもので、この例では１枚の印画紙に均等サイズでネガ(コマ)番号記入欄２に指定された通りの１２シーンのプリントが行なわれることを示している。第２図(Ｃ)は、(Ｂ)のものと比較してプリント枚数、配列が異なる外、プリントサイズの異なるもの、及び縦長プリントを混在させたものを示しており、第２図(Ｄ)は、印画紙を横長に使用してプリントするものを示している。」（第３頁右上欄第１７行〜左下欄第８行）、及び「Ｄ.ネガ判定
　ネガ判定は、カラー補正情報(Ｂ.Ｇ.Ｒ.デンシティ)、フォーマット情報(メーカー、感度等)、光源情報等の各種の画像データをマニアルまたは自動的に判定・入力・記憶させる作業である。」（第４頁右下欄第５〜１０行）との記載がある。 同じく引用した刊行物３（特開昭６２−１８８５８０号公報）には、「マルチイメージフィルムに撮影すべき一群の画像を、その画像の患者名等の画像識別情報及びウインドウレベル/幅等の撮影条件と共に記憶するメモリと、該メモリに記憶されている画像を表示するモニタと、該モニタに表示された画像をマルチイメージフィルムに撮影するマルチフォーマットカメラと、前記画像識別情報に基づき一群の画像を前記メモリより順次読み出し、かつ、前記撮影条件を前記モニタに設定してモニ夕上に各画像を表示制御する制御手段とを有することを特徴とするマルチイメージ自動撮影装置。」（特許請求の範囲）及び「以下本発明の実施例について図面を参照しながら説明する。・・・２はメモリであり、マルチイメージフィルム(第２図参照)に撮影すべき一群の画像をその画像の患者名等の画像識別情報及びウインドウレベル/幅等の撮影条件と共に記憶するようになっている。具体的には一群の画像としてＣＴ装置により撮影された画像、例えば同一患者についての各スライス面の画像を記憶するようになっており、・・・３は第１モニ夕であり、メモリ２に記憶されている画像を表示できるようになっている。４はマルチフォーマットカメラであり、第１モニタ３に表示された画像をマルチイメージフィルムに撮影することができるようになっている。」（第２頁右上欄第１行〜左下欄第１行）との記載がある。
＜２９条第２項の違反について＞
〔本件請求項１に記載された発明〕
　本件請求項１に記載された発明と、上記刊行物１〜３に記載された発明とを対比すると、後者には、前者の構成の一部である「合成した前記インデックス画像を前記複数の画像の焼付対象感光材料に焼き付ける」構成が開示も示唆もされていない。
　本件請求項１に記載された発明は、この構成を有することによって、明細書記載の作用効果を奏するものであるから、上記各刊行物に基づいて、当業者が容易に推考できたものであるとは言えない。
〔本件請求項２〜５に記載された発明〕
  本件請求項２〜５に記載された発明は、本件請求項１〜４に記載された発明の構成の一部をさらに限定するものであるから、本件請求項１に記載された発明と同じ判断となる。
ウ.むすび
　以上のとおりであるから、特許異議申立の理由
及び証拠によっては、本件請求項１〜５に記載された発明の特許を取り消すことはできない。
　また、他に本件請求項１〜５に記載された発明の特許を取り消すべき理由を発見しない。
　よって、結論のとおり決定する。
【異議決定日】
平成１３年７月３日（２００１．７．３）
【訂正の要旨】
　訂正の要旨
特許請求の範囲の減縮を目的として、下記（１）〜（３）のように特許請求の範囲を訂正する。また、特許請求の範囲の訂正に応じて、発明の詳細な説明についても、適合性を持たせるために下記（４）〜（６）のように訂正する。
（１）特許請求の範囲の請求項１を次のとおり訂正する。
　「【請求項１】同一の写真フイルムに記録されている複数の画像を各画像毎に感光材料に光学的に焼き付け、前記写真フイルムから複数の画像を読み取り、前記読み取った複数の画像を、前記光学的に焼き付ける各画像のインデックス画像として合成し、合成した前記インデックス画像を前記複数の画像の焼付対象感光材料に焼き付けることを特徴とする写真焼付方法。」
（２）特許請求の範囲の請求項２を次のとおり訂正する。
　「【請求項２】前記合成したインデックス画像を、複数の画像の前又は後に焼き付けることを特徴とする請求項１記載の写真焼付方法。」
（３）特許請求の範囲の請求項３を次のとおり訂正する。
　「【請求項３】前記合成したインデックス画像をメモリに記憶することを特徴とする請求項１又は２記載の写真焼付方法。」
（４）明細書の段落【０００５】及び【００２９】の「インデックス画像またはマルチ画像」を「インデックス画像」と訂正する。
（５）明細書の段落【００２９】の「インデックス写真やマルチ写真等の嵌め込み合成写真」を「インデックス写真」と訂正する。
（６）明細書の段落【００２９】の「嵌め込み合成」を「インデックス」と訂正する。
（５４）【発明の名称】
写真焼付方法及び装置
（５７）【特許請求の範囲】
　【請求項１】　同一の写真フイルムに記録されている複数の画像を各画像毎に感光材料に光学的に焼き付け、
　前記写真フイルムから複数の画像を読み取り、
　前記読み取った複数の画像を、前記光学的に焼き付ける各画像の
インデックス画像
　合成した前記
インデックス画像
　【請求項２】　前記合成した
インデックス画像
　【請求項３】　前記合成した
インデックス画像
　【請求項４】　前記メモリに記憶した合成画像をモニタに表示することを特徴とする請求項３記載の写真焼付方法。
　【請求項５】　前記合成する画像は、色補正、階調補正又はサイズ変換からなる画像処理が施されることを特徴とする請求項１ないし４いずれか１つの記載の写真焼付方法。
　【請求項６】　フイルムデッキにセットされた写真フイルムの画像を感光材料に焼き付けるためのフイルム画像焼付露光手段と、写真フイルムに記録されている画像を撮像して、これら画像を嵌め込み合成したビデオ画像を作成するビデオ画像作成手段と、前記ビデオ画像を前記感光材料に焼き付けるビデオ画像焼付手段とを設けたことを特徴とする写真焼付装置。
　【請求項７】　前記ビデオ画像作成手段は、前記フイルムデッキにセットされた写真フイルムの画像を撮像する手段と、この撮像手段で撮像した画像からこれら画像を一覧に表示するビデオ画像を作成する画像処理手段とを備えることを特徴とする請求項６記載の写真焼付装置。
　【請求項８】　前記ビデオ画像を、複数の画像の前又は後に焼き付けることを特徴とする請求項６又は７記載の写真焼付装置。
　【請求項９】　前記ビデオ画像を記憶するフレームメモリを有することを特徴とする請求項６ないし８いずれか１つ記載の写真焼付装置。
　【請求項１０】　前記フレームメモリに記憶したビデオ画像を表示するモニタを有することを特徴とする請求項９記載の写真焼付装置。
　【請求項１１】　前記合成する画像は、色補正、階調補正又はサイズ変換からなる画像処理が施されることを特徴とする請求項６ないし１０いずれか１つの記載の写真焼付装置。
【発明の詳細な説明】
　【０００１】
　【産業上の利用分野】
　本発明は、写真フイルムの各画像を嵌め込み合成した合成写真を簡単に作成するための写真焼付方法及び装置に関するものである。
　【０００２】
　【従来の技術】
　写真フイルムを一覧に表示した画像（インデックス画像）や写真フイルムの画像を複数個表示した画像（マルチ画面画像）などを作成する場合には、写真フイルムに記録された各コマを焼付露光する装置とは別個に、これらインデックス画像等を焼付露光する装置が必要になる。
　【０００３】
　【発明が解決しようとする課題】
　このため、写真フイルムの各コマを記録した感光材料と、インデックス画像等を記録した感光材料とは別個になるため、その後の、現像処理、カット、照合、袋詰め等の各処理も別個に行う必要が有り、煩雑な作業となっていた。
　【０００４】
　本発明は上記課題を解決するためのものであり、写真フイルムの各画像を嵌め込み合成した合成写真を簡単且つ容易に作成することができるようにした写真焼付方法及び装置を提供することを目的とするものである。
　【０００５】
　【課題を解決するための手段】
　上記目的を達成するために、本発明は、同一の写真フイルムに記録されている複数の画像を各画像毎に感光材料に光学的に焼き付け、前記写真フイルムから複数の画像を読み取り、前記読み取った複数の画像を、前記光学的に焼き付ける各画像の
インデックス画像
インデックス画像
　【０００６】
　【作用】
　写真フイルムから複数の画像が撮像手段により撮像され、画像合成手段によってこれら複数の画像が画像合成される。また、写真フイルムの複数の画像は、各画像毎に感光材料に焼付露光される。更に、この感光材料に対して前記合成した画像が焼付露光される。各画像が焼付露光された感光材料に対して、合成画像が焼付露光されるため、同一感光材料に対して各画像とこれら画像の嵌め込み合成画像とが得られる。したがって、この後の現像処理やカット、照合等を個別に行う必要がなくなり、各画像のプリント写真と同じような取り扱いで、各原画を嵌め込み合成したプリント写真が容易に得られる。しかも、嵌め込み合成写真は通常のプリント写真と同一の感光材料が用いられるため、両者は同じ材質であり、プリント写真と同等の質感が得られ合成写真の商品価値が高められる。
　【０００７】
　【実施例】
　本発明を実施した写真焼付装置の概略を示した図１において、白色光源１に対向して感光材料、例えばカラーペーパー２が配置されている。このカラーペーパー２はロール状に巻かれており、一対の引出しローラ３で引き出されて、マスク４の背後に形成された露光位置にセットされる。この露光位置において、所定コマ数だけ露光されるとカラーペーパー２はカッター６で短尺状に切り離され、送りローラ７で現像処理部８へ送られる。この現像処理部８では、カラーペーパー２を各処理槽に通して写真処理し、最後にカッター９で１コマずつに切断してからトレイ１１に排出する。
　【０００８】
　白色光源１の上方には拡散箱１３が設けられており、これらの間には照明光の赤色，緑色，青色の各色成分を調節するために、シアンフィルタ１５，マゼンタフィルタ１６，イエローフィルタ１７が配置されている。白色光源１から放出される白色光は、拡散箱１３を通り、フイルムデッキ１８の上にセットされマスク１９で上から押さえ付けられる原画例えばカラーネガフイルム２１を下から照明する。フィルタ調節部２２は、白色光源１が発光する際に色フィルタ１５〜１７の焼付光路２３への挿入量をそれぞれ制御し、カラーネガフイルム２１の画像（以下、これをネガ像という）に応じて照明光の光質を調節する。なお、反転カラーペーパーと専用現像液を使用すれば、リバーサルフィルムのポジ像を焼き付けることもできる。
　【０００９】
　カラーネガフイルム２１とカラーペーパー２との間の焼付光路２３には、焼付レンズ２４が配置され、この焼付レンズ２４とカラーペーパー２との間には、シャッタ制御部２５により制御されるシャッタ２６が設けられている。
　【００１０】
　第１ミラー２７及びカラーのＴＶカメラ２８は、一点鎖線で示す移動台２９に取り付けられており、ネガ像を撮像する際に、駆動部２９ａにより移動台２９と一緒に水平方向に移動される。この移動時に、第１ミラー２７は、焼付レンズ２４とカラーネガフイルム２１との間の焼付光路２３に４５度の角度で挿入される。なお、ネガ像の写真焼付時には、移動台２９は、第１ミラー２７が焼付光路２３から退避した位置まで後退する。第１ミラー２７が焼付光路２３に挿入されると、ＴＶカメラ２８によるネガ像の撮像が行われる。ＴＶカメラ２８は、撮像を行った際に、赤色のビデオ信号Ｒ，緑色のビデオ信号Ｇ，青色のビデオ信号Ｂをそれぞれ出力し、これをＡ／Ｄ変換器３１に送る。
　【００１１】
　フレームメモリ３２は、赤色，緑色，青色のビデオ信号をそれぞれ記憶する３つのメモリ部で構成されており、ＣＰＵ３３の指令にしたがって書込み，読出し動作を行う。このフレームメモリ３２に書き込まれた三色のビデオ信号は、書込み終了後にバスライン３４を介して画像処理部３５に送られる。
　【００１２】
　この画像処理部３５は、色補正，階調補正，サイズ変換等の画像処理を行う。この画像処理された信号は、バスライン３４を介してＣＰＵ３３でアドレス指定されたフレームメモリ３６に書き込まれる。このフレームメモリ３６は、嵌込み合成された合成画像の信号を記憶するためのものであり、フレームメモリ３２と同じく赤色，緑色，青色の画像信号をそれぞれ記憶する３つのメモリ部で構成される。また、ＣＰＵ３３は、インデックス写真を作成する場合に、縮小された画像の右肩に撮影番号を嵌め込むために、番号データをフレームメモリ３６に書き込む。
　【００１３】
　フレームメモリ３６から読み出された画像信号は、モニタ系とプリント系にそれぞれ送られる。このモニタ系は、ネガ・ポジ反転回路３７，Ｄ／Ａ変換器３８及び例えばカラーＣＲＴからなるモニタ３９から構成され、このモニタ３９にプリントすべきビデオ画像をカラーポジ像として表示する。前記プリント系は、Ｄ／Ａ変換器４１，三色のビデオ信号をＣＰＵ３２の指令で選択的に取り出すためのセレクタ４２，ドライバ４３，ＣＲＴ４４から構成されている。なお、カラーリバーサルフイルムの画像を撮像する場合には、画像処理部３５においてポジ・ネガ反転が行われる。
　【００１４】
　第２ミラー４５は、ビデオ画像の写真焼付時に、焼付レンズ２４とカラーペーパー２との間の焼付光路２３に４５度の角度で挿入される。なお、ネガ像の写真焼付時には、軸４５ａを軸としてミラー駆動部４６により点線で示したように焼付光路２３から退避される。この第２ミラー４５とＣＲＴ４４との間の焼付光路４７には、焼付レンズ４８が配置されており、この焼付レンズ４８とＣＲＴ４４との間には、露光用の赤色フィルタ５０，緑色フィルタ５１，青色フィルタ５２の三色の色フィルタが配置されている。フィルタ駆動部５３は、ビデオ画像を焼き付ける場合に、各色のフィルタ５０〜５２を焼付光路４７に挿入して、加色法面順次露光を行う。
　【００１５】
　キーボード５４は、電源キー，プリント開始キー，例えば複数のネガ像を１枚のプリント写真に焼き付ける場合に使用する種々のフォーマット指定キー，ビデオ画像の焼付けを指示する指示キー等を備えており、必要な命令をＣＰＵ３３に入力する。ＣＰＵ３３は、プログラムに従って白色光源１，フィルタ駆動部２２及び５３，ミラー・ＴＶカメラ駆動部２９，フレームメモリ３２及び３６，画像処理部３５，セレクタ４２等をシーケンス制御する。
　【００１６】
　図２は、露光済みカラーペーパー２を示すものである。写真像６０，６１，６３は、カラーネガフイルム２１の各コマを焼き付けたものであり、またビデオ画像６４は、電気的に嵌め込み合成した合成画像をＣＲＴ４４を介して焼き付けたものである。ここで符号６０ａ，６１ａ，６３ａは、写真像６０，６１，６３を縮小して嵌め込んだ画像を示す。ビデオ画像６４に収められるフレーム（コマ）の個数は、例えば４×４のマトリックス状の配列に設定されている。
　【００１７】
　次に、上記構成の写真焼付装置の作用について説明する。ネガ像を焼き付ける場合には、プリントすべきカラーネガフイルム２１をフイルムデッキ１８にセットし、マスク１９で押さえる。通常は、色フィルタ１５〜１７が標準位置に挿入されており、減光状態となっている白色光源１から放出された照明光が標準的な光質に調節されている。フィルタ調節部２２は、スキャナー（図示せず）で測光した測定値に応じて、色フィルタ１５〜１７の焼付光路２３への挿入量を自動的に調節する。この調節後に、キーボード５４のプリントキーを操作すれば、白色光源１がフル発光するとともに、シャッタ２６が所定時間だけ開かれるから、カラーネガフイルム２１の画像が、焼付レンズ２４によりカラーペーパー２に焼き付けられる。このようにしてネガ像の焼付けが終了すると、カラーペーパー２が１コマ分移送される。
　【００１８】
　以上の手順が繰り返し行われて、カラーペーパー２に所定コマ数が焼き付けられると、カッター６が作動して、露光済み部分を短尺状に切り離す。この短尺状のカラーペーパー２は、送りローラ７で現像処理部８に送られ、ここで各処理槽を通過して写真処理された後、カッター９で１コマずつ切断されてからトレイ１１に排出される。
　【００１９】
　次に、図２を参照し、ＣＲＴ露光系を利用して複数のネガ像を１枚のプリント写真に焼き付ける場合について説明する。まず、フイルムデッキ１８にカラーネガフイルム２１をセットした後、キーボード５４でネガ像の読込みを指示すると、駆動部２９ａにより第１ミラー２７及びＴＶカメラ２８が水平方向に移動され、第１ミラー２７が焼付光路２３に４５度に挿入される。そしてＴＶカメラ２８がＯＮするとともに、白色光源１が発光してフイルムデッキ１８にセットされたカラーネガフイルム２１を照明する。なお、この撮像時には、色フィルタ１５〜１７は標準位置にセットされている。
　【００２０】
　白色光源１から放出された白色光でカラーネガフイルム２１を照明すると、このネガ像が第１ミラー２７によって反射され、撮像光路３０に導かれてＴＶカメラ２８に入力し、ここでビデオ信号に変換される。ＴＶカメラ２８から出力された三色のビデオ信号は、Ａ／Ｄ変換器３１でデジタル化され、フレームメモリ３２に送られる。フレームメモリ３２はＣＰＵ３３の指令にしたがって１フレーム分の三色のビデオ信号を書き込む。フレームメモリ３２に書き込まれた三色のビデオ信号はバスライン３４を介して画像処理部３５に送られ、ここで色補正，階調補正とともに縮小等の画像処理が施される。そして、バスライン３４を経てフレームメモリ３６へ送られ、ここでＣＰＵ３３で指定されたエリアに書き込まれる。
　【００２１】
　ＣＰＵ３３の指令によりフレームメモリ３６から順次読み出されたビデオ信号は、ネガ・ポジ反転回路３７，Ｄ／Ａ変換器３８を介してモニタ３９に送られるから、モニタ３９に嵌込み合成された合成画像が表示される。このように、フレームメモリ３６の所定のエリアに縮小したネガ像の画像信号を色毎に分離して書き込むことによって嵌込み合成が行われる。以上の手順が繰り返し行われて、複数のコマの嵌込み合成が行われる。モニタ３９で所定コマの嵌込み合成がなされたことを確認してから、キーボード５４に設けられたビデオ画像焼付け指示用の指示キーを操作して合成したビデオ画像を焼き付ける。
　【００２２】
　このビデオ画像の写真焼付時には、ミラー駆動部４６により第２ミラー４５が焼き付け光路２３に４５度に挿入される。またフレームメモリ３６から読み出した合成画像のビデオ信号はプリント系に送られる。このビデオ信号はＤ／Ａ変換器４１を介してセレクタ４２へ送られ、ここで最初に例えば赤色のビデオ信号を取り出し、ドライバ４３を介してＣＲＴ４４に送り、赤色画像（正確には赤色画像のネガ像）のビデオ信号を輝度に変換した白黒画像をＣＲＴ４４に表示させる。このＣＲＴが発光している間に、フィルタ駆動部５３は赤色フィルタ５０を焼付光路４７に挿入するから、ＣＲＴ４４の画像は赤色画像に変換される。この赤色画像は、焼付レンズ４８を介して第２ミラー４５に結像され、ここでカラーペーパー２に向けて反射される。この状態でカラーペーパー２の赤色感度に応じて定めた露光時間だけシャッタ２６を開き、この間でフレームメモリ３６から繰り返して読み出した複数フレーム分の赤色画像をカラーペーパー２に焼き付ける。
　【００２３】
　赤色画像の露光後に、シャッタ２６が閉じられ、その間に赤色フィルタ５０が退避し、代わって緑色フィルタ５１が挿入される。これとともに、ＣＲＴ４４には、緑色画像が白黒で表示される。この直後にシャッタ２６が開くために、ＣＲＴ４４に表示された白黒画像が緑色フィルタ５１で緑色画像に変換され、カラーペーパー２に露光される。同様にして青色画像がカラーペーパー２に露光される。この三色面順次露光により、図２に示すように、カラーネガフイルム２１に写っている複数個のカラーネガ像を嵌込み合成したビデオ画像６４がカラーペーパー２に焼き付けられると、カラーペーパー２は１コマ分移送され、ビデオ画像の焼付モードが終了する。
　【００２４】
　図３は、別の実施例を示すものであり、図１と同じ部材には同じ符号を付してある。この実施例では、白黒のＴＶカメラ７０が用いられ、このＴＶカメラ７０と第１ミラー２７との間の撮像光路３０に、結像レンズ７１，フィールドレンズ７２及び赤色，緑色，青色の各色分解フィルタ７３，７４，７５が設けられている。これらの各色分解フィルタ７３〜７５は、フィルタ駆動部７６により順次挿入され、三色面順次でネガ像の撮像が行われる。この撮像に際しては、移動台２９によって第１ミラー２７と、結像レンズ７１，フィールドレンズ７２と、色分解フィルタ７３〜７５と、白黒のＴＶカメラ７０とが水平方向に移動されて、第１ミラー２７が焼付光路２３に４５度の角度で挿入される。また、白黒ＴＶカメラ７０から順次出力された赤色，緑色，青色のビデオ信号は、セレクタ７６によって色毎に振り分けられる。
　【００２５】
　図４に示す実施例では、焼付光路２３に出入り自在な可動ミラー７８が用いられ、ミラー駆動部７９により軸７８ａを軸として回転し、ネガ像の撮像時に焼付光路２３に４５度の角度で挿入される。
　【００２６】
　なお、上述の実施例は１コマのネガ像をそのまま焼き付ける場合と、複数のネガ像を１枚のプリント写真に焼き付ける場合とのどちらかを選択的に動作させるようにしているが、１コマのネガ像を焼き付ける前または後に、一連のフレームメモリ３２からの読出し，画像処理，フレームメモリ３６への書込み動作を行ってゆき、フレームメモリ３６に１６コマ分のサイズ縮小されたビデオ信号が書き込まれた時点で、この画像をハードコピーするようにしてもよい。
　【００２７】
　また、上述の実施例は異なった１６個のネガ像をカラーペーパー２の１コマに焼き付けているが、この他に同じネガ像を複数個並べてプリントすることもできるとともに、１個のネガ像と、キーボード５４等で入力した文字や、デジタライザで作成したコンピュータグラフィクス画像を合成し、この合成画像をＣＲＴに表示してカラーペーパー２にプリントすることも可能である。
　【００２８】
　また、従来と同様にビデオ画像を焼き付ける場合は、このビデオ画像に入力するビデオ画像入力装置を設け、ここから入力したビデオ信号を画像処理部３５で色及び階調補正をしてからＣＲＴ４４に表示すればよい。
　【００２９】
　【発明の効果】
　本発明によれば、同一の写真フイルムに記録されている複数の画像を各画像毎に感光材料に光学的に焼き付け、前記写真フイルムから複数の画像を読み取り、前記読み取った複数の画像を、前記光学的に焼き付ける各画像の
インデックス画像
インデックス画像
インデックス写真
インデックス
インデックス
　【００３０】
　また、写真フイルムの各画像を感光材料に焼き付ける際に、写真フイルムの各画像を撮像することにより、通常のプリントのためのフイルム送りにより各画像の画像データを取り込むことができる。したがって、画像データの取り込みがより一層簡単且つ容易に行えるようになる。
　【００３１】
　また、複数の画像の前又は後に、合成した画像を焼き付けることにより、これら複数の画像の写真と合成画像写真との照合が容易になり、これらを簡単に１まとまりにすることができる。更に、嵌め込み合成写真を通常の写真焼付装置の一部を用いて構成することができるようになり、ビデオ画像を焼付露光する手段の構成を簡単にすることができる。
　【００３２】
　また、合成した画像をメモリに記憶して、これをモニタに表示することにより、嵌め込み合成画像を確認することができる。更に、合成する画像を、色補正、階調補正又はサイズ変換の各画像処理を行うことにより、嵌め込み合成画像の各サブコマの仕上がりを統一することができる。
【図面の簡単な説明】
　【図１】
　本発明の写真焼付装置の一例を示す概略図である。
　【図２】
　写真像及びビデオ画像が焼き付けられたカラーペーパーを示す平面図である。
　【図３】
　白黒テレビカメラを用いた本発明の実施例の要部を示す概略図である。
　【図４】
　可動ミラーを用いて撮像する実施例の要部を示す概略図である。
　【符号の説明】
　１　光源
　２　カラーペーパー
　１８　フイルムデッキ
　２１　カラーネガフイルム
　２４　焼付レンズ
　２８，７０　ＴＶカメラ
　４４　ＣＲＴ